(57)【要約】【課題】工具などを使わずに簡単な作業でプライスタグ取付フェンスをケース本体のフロントキャップに着脱でき、しかも装着状態ではフェンスを安定した起立姿勢に支持できるようにその支持構造を改良する。【解決手段】プライスタグ取付フェンス１３に設けた支持脚片１６の基部に掛止部材を付設し、前記支持脚片をフロントキャップ１１の頂部に跨がるようその背後側から嵌合した上で、掛止部材をフロントキャップの背面に形成されているＣ字形の凹段部１１ｃに掛止してフェンスを表示位置に支持するものとし、ここで支持脚片がフロントキャップ１１の輪郭に対応した形状の板金品になり、フロントキャップの背面に対向して下方に延在する脚片基部１６ａに、ばねの復元性を利用してフロントキャップに掛け止めする掛止部材として左右両翼をＶ字状に曲げた線材ばね１７を支持脚片の基部に固着し、該線材ばねを蓄勢した状態でフロントキャップの凹段部に係合してフェンスを装着位置に支持する。【選択図】        図１
2006288686.tif 000002
【特許請求の範囲】
【請求項１】
ケース本体のフロント部上縁に沿って起立姿勢に敷設するプライスタグ取付フェンスを着脱自在に装着する支持構造であり、プライスタグ取付フェンスに設けた異形の支持脚片に手動で係脱する掛止部材を付設し、前記支持脚片をフロントキャップの頂部に跨がるようにその背後側から装着した上で、前記掛止部材をフロントキャップの背面に形成されている凹段部に掛止してフェンスを表示位置に支持することを特徴とするオープンショーケース。
【請求項２】
請求項１記載のオープンショーケースにおいて、支持脚片がフロントキャップの輪郭に倣って屈曲した形状の板金品になり、かつフロントキャップの背面に対向して下方に延在する支持脚片の基部にばねの復元性を利用する掛止部材を付設したことを特徴とするオープンショーケース。
【請求項３】
請求項２記載のオープンショーケースにおいて、掛止部材として、左右両翼をＶ字状に曲げた線材ばねを支持脚片の基部に固着したことを特徴とするオープンショーケース。
【請求項４】
請求項２記載のオープンショーケースにおいて、掛止部材として、爪形のストッパおよび操作摘まみ部を形成した板ばねの一端を支持脚片の基部に固着したことを特徴とするオープンショーケース。
【発明の詳細な説明】
【技術分野】
【０００１】
本発明は、フロント部の上縁にプライスタグ取付フェンスの着脱自在な支持構造を有するオープンショーケースに関する。
【背景技術】
【０００２】
まず、本発明の実施対象となるオープンショーケースの構造を図３に示す。図において、１は前面開放形の断熱筐体になるケース本体の外箱、２は内箱、３は内箱２を取り巻いて外箱１との間に画成した冷気循環ダクト、４は冷却器（冷凍機のエバポレータ）、５は庫内ファン、６は循環冷気の吹出口、７は循環冷気の吸込口として外箱１の前面壁の内側に配したリターングリル、８は庫内の中段に架設した商品陳列棚、９は庫内底部に配したデッキパン、１０は外箱１の前面頂部に設けたキャノピー部、１１は外箱１の下部前面を覆うフロントパネルとリターングリルとの間跨がって外箱１の前面壁上縁に被せたレール状のフロントキャップ、１２は巻き取ってキャノピー部１０の内方に格納したナイトカバーである。
また、図４は前記のナイトカバー１２をキャノピー部１０から繰出して本体ケースの前面開口部を覆った使用状態を表し、ナイトカバー１２の先端に取付けたフック金具１２ａをフロントキャップ１１の後縁部に形成した突状部１１ａに引っ掛けて繰出し位置に掛止するようにしている。
【０００３】
一方、前記のオープンショーケースにおいて、庫内底部のデッキパン９に陳列した商品の価格を表示するために、ケース本体のフロント部にプライスタグ（価格表示板）を取り付ける長尺な取付具を敷設してケース本体にネジ止め，あるいは両面接着テープなどで表示位置に固定し、この取付具にプライスタグを取付けて商品価格を表示するようにしたプライスタグ取付装置が知られている（例えば、特許文献１参照）。
【特許文献１】特開平１−１３６３７５号公報
【発明の開示】
【発明が解決しようとする課題】
【０００４】
前記したプライスタグの取付フェンスは、ショーケースのオプション品として用意されているもので、商品陳列の仕方などによりプライスタグ取付フェンスが不要の場合にはケース本体から簡単に取り外せるようにすることが必要である。
かかる点、先記のようにプライスタグ取付フェンスをケース本体にネジ止めするなどして固定した従来構造では、フェンスの取付け，取り外しにドライバなどの工具が必要であり、着脱作業に手間と時間がかかる問題がってその改善策が要望されている。
本発明は上記の点に鑑みなされたものであり、その目的は工具などを使わずに簡単な作業でケース本体に着脱でき、しかも装着状態ではプライスタグ取付フェンスを安定姿勢に支持できるように改良したオープンショーケースを提供することにある。
【課題を解決するための手段】
【０００５】
上記目的を達成するために、本発明によれば、プライスタグ取付フェンスに設けた異形の支持脚片に手動で係脱操作する掛止部材を付設し、前記支持脚片をフロントキャップに跨がるようにその背後側から嵌合した上で、前記掛止部材をフロントキャップの背面に形成されている凹段部に掛止してフェンスを表示位置に支持するものとし（請求項１）、具体的には次記のような態様で構成することができる。
（１）前記の支持構造において、支持脚片がフロントキャップの輪郭に対応した形状の板金品になり、フロントキャップの背面に対向して延在する脚片基部にばねの復元性を利用してフロントキャップに掛け止めする掛止部材を付設する（請求項２）。
（２）前記の、掛止部材として、左右両翼をＶ字状に曲げた線材ばねを支持脚片の基部に固着し、該線材ばねを蓄勢した状態でその両翼先端をフロントキャップの凹段部に係合してフェンスを装着位置に支持する（請求項３）。
（３）前記の掛止部材として、爪形のストッパおよび操作摘まみ部を形成した板ばねの一端を支持脚片の基部に固着し、前記ストッパをフロントキャップの凹段部に係合してフェンスを装着位置に支持する（請求項４）。
【発明の効果】
【０００６】
上記の構成によれば、工具などを使わずに、簡単な操作で掛止部材をフロントキャップに係脱してプライスタグ取付フェンスをケース本体へ着脱自在に支持することができて、ユーザーは手間を掛けずにフェンスの取付け，取り外し作業が簡単に行える。
しかも、フェンスをケース本体に装着した状態では、支持脚片の板面がフロントキャップの頂部に重なって装着されるのでフェンスの支持姿勢も安定する。
【発明を実施するための最良の形態】
【０００７】
以下、本発明の実施の形態を図１，図２に示す実施例に基づいて説明する。なお、各実施例の図中で図３に対応する部材には同じ符号を付してその説明は省略する。
【実施例１】
【０００８】
まず、本発明の請求項１〜３に対応する実施例の構成を図１（ａ）〜（ｃ）に示す。図において、１３はプライスタグ取付フェンス、１４はフェンス１３の前面に取り付けてケースのデッキパン９（図３参照）に陳列した商品の価格を表示するプライスタグであり、プライスタグ取付フェンス１３はケース本体のフロント部に配したフロントキャップ１１の上に沿って起立姿勢に敷設されている。
ここで、プライスタグ取付フェンス１３は、例えばステンレス鋼の棒材で作られた長尺なフレーム１５の両端箇所に支持脚片１６を溶接接合し、この支持脚片１６の基部に次記の掛止部材を設けた構造になり、該掛止部材を介してフロントキャップ１１へ着脱自在に掛止支持するようにしている。
すなわち、支持脚片１６はその下半部がフロントキャップ１１の断面輪郭に対応する形状に折り曲げ成形された異形の板金部品であり、フロントキャップ１１の背面に対向する基部１６ａには掛止部材として、図示のように左右両翼を下方に向けてＶ字状に曲げた線材ばね（ひげばね）１７を支持脚片の基部に溶接接合している。なお、図３で述べたように、フロントキャップ１１の頂部後縁にはナイトカバー１２のフック金具１２ａを引っ掛けるように庇形の突状部１１ａが形成されており、この突状部１１ａと背面壁の下端縁をＶ字状に折り返したフランジ部１１ｂ（リターングリル７（図３参照）との連結部）との間に断面Ｃ字形の凹段部１１ｃを形成している。
【０００９】
次に、前記構成のプライスタグ取付フェンス１３をショーケースのフロント部に装着する手順を図１（ｃ）で説明する。すなわち、フェンス１３をフロント部に装着するには、フロントキャップ１１の背後（庫内側）からフェンス１３の支持脚片１６をフロントキャップの頂部に嵌め合わせた上で、前記線材ばね１７の先端を指先で若干撓ませながらフェンスキャップ１１の背面下端に形成されているＶ字状フランジ部１１ｂの内側に嵌め込む。これにより線材ばね１７の復元性を利用して支持脚片１６がフロントキャップ１１の凹段部１１ｃに掛止され、フェンス１３は図１（ａ）のような起立姿勢で表示位置に支持される。この装着状態では、支持脚片１６がフロントキャップ１１の頂部に跨がるよう重なって支持されているので、フェンス１３の支持姿勢が安定する。
一方、前記の装着状態からフェンス１３を取り外すには、線材ばね１７の先端を撓ませてフロントキャップ１１のＶ字状フランジ部１１ｂとの係合を外した上で、フェンス全体を庫内側に抜き取ることで簡単に取り出せる。つまり、ドライバなどの工具を一切使わずに、掛止部材の簡単な係脱操作でフェンス１３をショーケースのフロント部へ着脱自在に支持することができる。
【実施例２】
【００１０】
次に、本発明の請求項４に対応する実施の形態を図２（ａ）〜（ｃ）で説明する。
この実施例では、プライスタグ取付フェンス１３をフロントキャップ１１に掛止する掛止部材として、先記の実施例１で述べた線材ばね１６に代えて、板ばね１８で作られたストッパが支持脚片１６の基部１６ａに付設されており、その他の構造は図１に示した実施例１と同じ構造である。
ここで、前記板ばね１８には先端側の板面から切り起こしてフロントキャップ１１の頂部後端の突状部１１ａに掛止する爪形のストッパ１８ａおよび釈放操作用の摘まみ部１８ｂを形成し、他端１８ｃを支持脚片１６の基部１６ａ（フロントキャップ１１の頂部後端に形成した突状部１１ａに合わせて支持脚片の基部１６ａに屈曲形成した庇部の下面）にカシメ止め，あるいはスポット溶接などにより固着している。なお、ストッパ１８ａは図示のように先端が前方に向けて斜めカットされている。
【００１１】
上記の構成で、プライスタグ取付フェンス１３をショーケースのフロント部に装着するには、先記実施例１と同様にフロントキャップ１１の背後（庫内側）からフェンスの支持脚片１６をフロントキャップに嵌合して前方に押し込む。これにより、前記板ばね１８のストッパ１８ａがフロントキャップ１１の突状部１１ａに係合してフェンス１３が図２（ａ）の状態に支持される。
また、フェンス１３を取り外す場合には、前記板ばね１８の摘まみ部１８ｂを下方に押し込んでストッパ１８ａとフロントキャップ１１との係合を解除した上で、支持脚片16ヲをフロントキャップ１１から後方に抜き取って取り出す。
上記の説明から判るように、この実施例ではフロントキャップ１１に対して掛止部材である板ばね１８のストッパ１８ａをワンタッチ操作で係脱することにより、先記実施例１と同様に工具などを一切使用せずにプライスタグ取付フェンス１３を簡単な操作で着脱自在に支持することができる。
【図面の簡単な説明】
【００１２】
【図１】本発明の実施例１に係わるプライスタグ取付フェンスの支持構造図で、（ａ）はフェンスをフェンスキャップに装着した使用状態を表す側視断面図、（ｂ）は（ａ）における支持脚片および掛止部材の背面図、（ｃ）はフェンスの装着前の状態を表す斜視図
【図２】本発明の実施例２に係わるプライスタグ取付フェンスの支持構造図で、（ａ）はフェンスをフェンスキャップに装着した使用状態を表す側視断面図、（ｂ）は（ａ）における支持脚片に付設した掛止部材の構造，係脱操作を説明する背面図、（ｃ）はフェンスの装着前の状態を表す斜視図
【図３】本発明の実施対象となるオープンショーケースの構成断面図
【図４】図３のショーケースでキャノピー部から繰出したナイトカバーをフロントキャップに掛け止めした状態を表す側視断面図
【符号の説明】
【００１３】
１    ショーケースのケース本体の外箱
１１    フロントキャップ
１１ａ  突状部
１１ｂ  Ｖ字状フランジ部
１１ｃ  凹段部
１３    プライスタグ取付フェンス
１４    プライスタグ
１６    支持脚片
１６ａ  基部
１７    線材ばね（掛止部材）
１８    板ばね（掛止部材）
１８ａ  ストッパ
１８ｂ  操作摘まみ部
【図１】
2006288686.tif 000003
【図２】
2006288686.tif 000004
【図３】
2006288686.tif 000005
【図４】
2006288686.tif 000006